(57)【要約】      （修正有）【課題】吐出口から流出する液体の整流効果を高め、液体の飛散を効果的に防止することができる打栓コックを提供する。【解決手段】液体の注出及び注出停止を切り換えるために操作される打栓コックにおいて、液体が流入する導入口１０、導入口１０よりも下方に位置して液体が流出する吐出口１４、及び導入口１０から吐出口１４まで液体を導く流路１２を備えたノズル部３を設け、ノズル部３には、吐出口１４に向かう液体を整流する複数の整流壁を、導入口１０から液体が流入する流入室１５よりも下方の吐出口１４側に離れるようにして設け、少なくとも各整流壁の上流側にて流路１２の中心側に設けられた隙間２２ａを挟んで整流壁のそれぞれを互いに離間させ、かつ少なくとも各整流壁の下流側にて隙間２２ａの大きさを上流側よりも減少させる。【選択図】図２Ａ
2017119521.tif 000002
【特許請求の範囲】
【請求項１】
液体の注出及び注出停止を切り換えるために操作される打栓コックであって、
前記液体が流入する導入口、及び前記導入口よりも下方に位置して前記液体が流出する吐出口が設けられ、さらに、前記導入口と前記吐出口との間には、前記導入口から前記吐出口まで前記液体を導く流路が設けられた案内部を有し、
前記案内部には、前記吐出口に向かう前記液体を整流する複数の整流壁が、前記導入口から前記液体が流入する領域よりも下方の前記吐出口側に離れるようにして設けられ、
前記複数の整流壁のそれぞれは、少なくとも各整流壁の上流側にて前記流路の中心側に設けられた隙間を挟んで互いに離間し、かつ少なくとも各整流壁の下流側にて前記隙間の大きさが前記上流側よりも減少するように設けられている打栓コック。
【請求項２】
前記複数の整流壁のそれぞれは、少なくとも各整流壁の下流側にて互いに結合されている請求項１に記載の打栓コック。
【請求項３】
前記複数の整流壁のそれぞれは前記吐出口に達するように設けられている請求項１又は２に記載の打栓コック。
【請求項４】
前記複数の整流壁のそれぞれの前記吐出口側の端部は、前記流路の中心側が外周側よりも前記液体の流出方向に突出するように設けられている請求項３に記載の打栓コック。
【請求項５】
前記流路における前記複数の整流壁が設けられた区間にて、前記流路の断面積が前記流路の上流側よりも下流側で減少するように前記流路の下流側が前記流路の中心側に絞り込まれている請求項１〜４のいずれか一項に記載の打栓コック。
【請求項６】
前記案内部は、前記導入口が設けられた本体と、前記案内部の前記吐出口側にて前記本体に装着されるアダプタとを具備し、前記液体が流入する領域が前記本体に設けられる一方で、前記複数の整流壁のそれぞれが前記アダプタに設けられている請求項１〜５のいずれか一項に記載の打栓コック。
【請求項７】
液体が流入する導入口、前記導入口よりも下方に位置して前記液体が流出する吐出口、及び前記導入口から前記吐出口まで前記液体を導く流路が設けられた打栓コックの案内部の構成部品として、前記導入口が設けられた前記案内部の本体に対し、前記吐出口側にて装着されて前記吐出口側における前記流路の一部を提供する打栓コックのアダプタであって、
前記導入口から前記液体が流入する領域よりも下方の前記吐出口側に離れるようにして設けられて前記吐出口に向かう前記液体を整流する複数の整流壁を具備し、
前記複数の整流壁のそれぞれは、少なくとも各整流壁の上流側にて前記流路の中心側に設けられた隙間を挟んで互いに離間し、かつ少なくとも各整流壁の下流側にて前記隙間の大きさが前記上流側よりも減少するように設けられている打栓コックのアダプタ。
【請求項８】
前記複数の整流壁のそれぞれは、少なくとも各整流壁の下流側にて互いに結合されている請求項７に記載の打栓コックのアダプタ。
【請求項９】
前記複数の整流壁のそれぞれは前記吐出口に達するように設けられている請求項７又は８に記載の打栓コックのアダプタ。
【請求項１０】
前記複数の整流壁のそれぞれの前記吐出口側の端部は、前記流路の中心側が外周側よりも前記液体の流出方向に突出するように設けられている請求項９に記載の打栓コックのアダプタ。
【請求項１１】
前記流路における前記複数の整流壁が設けられた区間にて、前記流路の断面積が前記流路の上流側よりも下流側で減少するように前記流路の下流側が前記流路の中心側に絞り込まれている請求項７〜１０のいずれか一項に記載の打栓コックのアダプタ。
【発明の詳細な説明】
【技術分野】
【０００１】
本発明は、液体が充填された容器に適用される打栓コックに関する。
【背景技術】
【０００２】
飲料等の液体の注出及び注出停止を切り換えるために操作される打栓コックとして、例えば、管状のノズル本体の吐出口から上流側に向かって一定長の区間に、複数の板状の整流壁を有する整流部材を配置することにより、吐出口から流出する液体の飛散を抑えるようにした打栓コックが知られている（例えば、特許文献１及び２参照）。上下方向に延ばされた複数の整流壁のそれぞれの上端部分を切り欠いて隙間を設けることにより、その隙間の側方から導入される液体を整流壁で仕切られた複数の流路領域のそれぞれに回りこませつつ下方に導くようにした給水栓も知られている（例えば、特許文献３参照）。
【先行技術文献】
【特許文献】
【０００３】
【特許文献１】特開２０１０−２３１５８５号公報
【特許文献２】特開２００８−６８９１６号公報
【特許文献３】実開平６−７１５６２号公報
【発明の概要】
【発明が解決しようとする課題】
【０００４】
しかしながら、吐出口付近に整流壁を設けても、吐出口からの液体の流れに偏りや回転が生じるなどの乱れが生じ、液体の飛散防止効果を十分に高めることができない場合がある。
【０００５】
そこで、本発明は吐出口から流出する液体の整流効果を高め、液体の飛散を効果的に防止することができる打栓コック等を提供することを目的とする。
【課題を解決するための手段】
【０００６】
本発明の一態様に係る打栓コック（１）は、前記液体が流入する導入口（１０）、及び前記導入口よりも下方に位置して前記液体が流出する吐出口（１４）が設けられ、さらに、前記導入口と前記吐出口との間には、前記導入口から前記吐出口まで前記液体を導く流路（１２）が設けられた案内部（３）を有し、前記案内部には、前記吐出口に向かう前記液体を整流する複数の整流壁（２２Ａ〜２２Ｃ；２２Ａ〜２２Ｅ）が、前記導入口から前記液体が流入する領域（１５）よりも下方の前記吐出口側に離れるようにして設けられ、前記複数の整流壁のそれぞれは、少なくとも各整流壁の上流側にて前記流路の中心側に設けられた隙間（２２ａ）を挟んで互いに離間し、かつ少なくとも各整流壁の下流側にて前記隙間の大きさが前記上流側よりも減少するように設けられたものである。
【０００７】
上記態様の打栓コックによれば、導入口から流路に流入した液体は、まず導入口に繋がる領域にてその流れが適度に整えられた後に整流壁が設けられた区間に流入する。整流壁の少なくとも上流側は流路の中心側にある隙間を挟んで互いに離間しているので、流路の上流側から流れてきた液体は、整流壁間の流路領域のそれぞれに対してほぼ均等に流れ込む。さらに、整流壁の下流側では整流壁間に介在する隙間の大きさが減少するため、整流壁の整流作用がより強く生じ、かつ各流路領域を通過する液体同士の相互の干渉が効果的に抑制される。これにより、吐出口の近傍における液体の回転等の流れの乱れを十分に抑えることができる。それにより、吐出口から流出する液体の整流効果を高め、吐出口の周囲への液体の飛散を効果的に防止することができる。
【０００８】
上記態様の打栓コックにおいて、前記複数の整流壁のそれぞれは、少なくとも各整流壁の下流側にて互いに結合されてもよい。この形態は、少なくとも各整流壁の下流側で隙間の大きさを最大限に減少させてゼロに設定する形態として位置付けられる。整流壁同士を結合させた場合には、吐出口の近傍にて流路が完全に独立した複数の流路領域に区分される。それにより、各流路領域を通過する液体は、他の流路領域を通過する液体と相互に干渉し合うことなく吐出口へと導かれる。それにより、整流壁の整流効果をより効果的に引き出すことができる。
【０００９】
上記態様の打栓コックにおいて、前記複数の整流壁のそれぞれは前記吐出口に達するように設けられてもよい。これによれば、整流壁の整流効果を吐出口の位置で確実に発揮させ、液体の飛散を確実に防止することができる。
【００１０】
上記態様の打栓コックにおいて、前記複数の整流壁のそれぞれの前記吐出口側の端部（２２ｂ）は、前記流路の中心側が外周側よりも前記液体の流出方向に突出するように設けられてもよい。これによれば、吐出口から流出した直後の液体同士の衝突を防止し、それにより、液体の流れをより安定させてその飛散を確実に防止することができる。
【００１１】
上記態様の打栓コックにおいては、前記流路における前記複数の整流壁が設けられた区間にて、前記流路の断面積が前記流路の上流側よりも下流側で減少するように前記流路の下流側が前記流路の中心側に絞り込まれてもよい。これによれば、整流壁間に存在する各流路領域の断面積を吐出口の近傍にてより小さく設定することができる。そのため、吐出口からの液体の流れがさらに安定する。
【００１２】
上記の態様の打栓コックにおいて、前記案内部は、前記導入口が設けられた本体（５）と、前記案内部の前記吐出口側にて前記本体に装着されるアダプタ（８Ａ〜８Ｆ）とを具備し、前記液体が流入する領域が前記本体に設けられる一方で、前記複数の整流壁のそれぞれが前記アダプタに設けられてもよい。これによれば、本体に対してアダプタを装着することにより、本発明の上記態様に係る打栓コックを実現することができる。
【００１３】
本発明の一態様に係るアダプタ（８Ａ〜８Ｆ）は、液体が流入する導入口（１０）、前記導入口よりも下方に位置して前記液体が流出する吐出口（１４）、及び前記導入口から前記吐出口まで前記液体を導く流路（１２）が設けられた打栓コック（１）の案内部（３）の構成部品として、前記導入口が設けられた前記案内部の本体（５）に対し、前記吐出口側にて装着されて前記吐出口側における前記流路の一部を提供する打栓コックのアダプタであって、前記導入口から前記液体が流入する領域（１５）よりも下方の前記吐出口側に離れるようにして設けられて前記吐出口に向かう前記液体を整流する複数の整流壁（２２Ａ〜２２Ｃ；２２Ａ〜２２Ｆ）を具備し、前記複数の整流壁のそれぞれは、少なくとも各整流壁の上流側にて前記流路の中心側に設けられた隙間（２２ａ）を挟んで互いに離間し、かつ少なくとも各整流壁の下流側にて前記隙間の大きさが前記上流側よりも減少するように設けられたものである。
【００１４】
この態様のアダプタによれば、案内部の本体に対して吐出口側に装着されることにより、上記態様に係る打栓コックを実現することができる。整流壁が存在しない既存の打栓コックに上記態様のアダプタを装着し、あるいは既に既存の打栓コックに整流壁が存在しないアダプタが装着されている場合にはそのアダプタを上記態様のアダプタに置き換えることにより、上記態様に係る打栓コックを容易に実現することができる。整流壁の枚数や形状といった仕様が異なる複数のアダプタを予め用意し、液体の種類、流量といった液体の注出条件に応じて最適なアダプタを選択して本体に装着することにより、打栓コックを注出条件に応じて最適化することもできる。
【００１５】
上記態様のアダプタにおいても、上記態様の打栓コックに応じて各種の形態を採用することができる。すなわち、前記複数の整流壁のそれぞれは、少なくとも各整流壁の下流側にて互いに結合されてもよい。前記複数の整流壁のそれぞれは前記吐出口に達するように設けられてもよい。前記複数の整流壁のそれぞれの前記吐出口側の端部（２２ｂ）は、前記流路の中心側が外周側よりも前記液体の流出方向に突出するように設けられてもよい。前記流路における前記複数の整流壁が設けられた区間にて、前記流路の断面積が前記流路の上流側よりも下流側で減少するように前記流路の下流側が前記流路の中心側に絞り込まれてもよい。
【００１６】
なお、以上の説明では本発明の理解を容易にするために添付図面の参照符号を括弧書きにて付記したが、それにより本発明が図示の形態に限定されるものではない。
【図面の簡単な説明】
【００１７】
【図１】本発明の第１の形態に係る打栓コックの外観を示す斜視図。
【図２Ａ】第１の形態に係る打栓コックの閉栓状態を示す断面図。
【図２Ｂ】打栓コックの開栓状態を示す断面図。
【図３】第１の形態に係るアダプタの斜視図。
【図４】第１の形態に係るアダプタの異なる方向からの斜視図。
【図５】第１の形態に係るアダプタの側面図。
【図６】第１の形態に係るアダプタの下面図。
【図７】図６のVII−VII線に沿った断面図。
【図８】第２の形態に係るアダプタの斜視図。
【図９】第２の形態に係るアダプタの異なる方向からの斜視図。
【図１０】第２の形態に係るアダプタの側面図。
【図１１】第２の形態に係るアダプタの下面図。
【図１２】図１１のXII−XII線に沿った断面図。
【図１３】第３の形態に係るアダプタの斜視図。
【図１４】第３の形態に係るアダプタの異なる方向からの斜視図。
【図１５】第３の形態に係るアダプタの側面図。
【図１６】第３の形態に係るアダプタの下面図。
【図１７】図１６のXVII−XVII線に沿った断面図。
【図１８】第４の形態に係るアダプタの斜視図。
【図１９】第４の形態に係るアダプタの異なる方向からの斜視図。
【図２０】第４の形態に係るアダプタの側面図。
【図２１】第４の形態に係るアダプタの下面図。
【図２２】図２１のXXII−XXII線に沿った断面図。
【図２３】変形例に係るアダプタの断面図。
【図２４】他の変形例に係るアダプタの断面図。
【発明を実施するための形態】
【００１８】
（第１の形態）
以下、図１〜図７を参照して本発明の第１の形態に係る打栓コックを説明する。図１に示すように、打栓コック１は、飲料水等の液体の供給源の一例としての容器（不図示）と接続される接続部２と、その接続部２を介して供給される液体を所定の方向に案内する案内部の一例としてのノズル部３とを備えている。ノズル部３には、液体の注出及び注出停止を切り換えるために操作されるレバー４が設けられている。接続部２が接続されるべき容器は種々の構成を取り得るが、例えば軟質樹脂が用いられた可撓性を有するフィルムバック、バッグインボックス等であってもよいし、比較的硬質の樹脂が用いられたガロンボトル等の硬質容器であってもよいし、金属にて形成された剛体容器であってもよい。液体の供給源は容器に限らず、例えば給水管の端部に接続部２が接続されてもよい。つまり、打栓コック１は、液体の流出を止める栓として機能するものであればよく、液体の供給源の種類は問わない。
【００１９】
図２Ａ及び図２Ｂに示すように、ノズル部３は、接続部２に接続されるノズル部本体（以下、本体と略称することがある。）５を有している。本体５は、接続部２と一体的に成形される固定筒６と、その固定筒６の内周に嵌め合わされる旋回筒７とを組み合わせたアッセンブリ部品として構成されている。本体５の先端部において、旋回筒７の先端部（図２Ａ及び図２Ｂにおいて下端部）は固定筒６の先端部よりも幾らか突出している。本体５の先端部において、旋回筒７の内部には、ノズル部３のさらなる構成部品としてのアダプタ８Ａが設けられている。アダプタ８Ａは、旋回筒７の内周に着脱自在に装着される概ね中空円筒状の部品として構成されている。
【００２０】
本体５の固定筒６には、接続部２の内部の流路９からノズル部３の内部に液体を流入させるための導入口１０が形成されている。旋回筒７は固定筒６に対して周方向に回転自在に設けられている。旋回筒７には貫通孔１１が形成されている。旋回筒７の一端には上述したレバー４が一体に設けられている。レバー４を操作して旋回筒７を回転させることにより、貫通孔１１が導入口１０から離れて導入口１０が閉鎖され、液体の流入が阻止される閉栓状態（図２Ａ）と、貫通孔１１が導入口１０と一致してノズル部３の内部に液体が流入する開栓状態（図２Ｂ）とが切り換えられる。
【００２１】
ノズル部３の内部には、図２Ａ及び図２Ｂの上下方向に真っ直ぐに延びる流路１２が形成されている。流路１２の先端（図２Ａ及び図２Ｂにおいて下端）が液体の吐出口１４となる。打栓コック１は、吐出口１４が概ね鉛直下方を向くようにして液体の供給源に接続される。その場合、ノズル部３の流路１２の中心線ＣＬは鉛直方向と概ね平行であり、吐出口１４は導入口１０の下方に位置する。ただし、中心線ＣＬが鉛直方向に対して幾らか傾いた状態で打栓コック１が用いられてもよい。アダプタ８Ａは、流路１２の先端の吐出口１４から上流側に向かって一定範囲を占めるようにして旋回筒７の内周に装着される。ノズル部３の内部、より具体的には旋回筒７の内部には、導入口１０から液体が流入する領域としての流入室１５が設けられている。流入室１５は、導入口１０からノズル部３の内部への液体の流入方向において導入口１０に連なる領域として特定される。つまり、流入室１５は導入口１０を本体５内に延長した領域として特定される。流路１２はその流入室１５を含み、当該流入室１５から吐出口１４に向かって下方に真っ直ぐに延びている。アダプタ８Ａは、その流入室１５に対して下方の吐出口１４側（図示例では下方）に離れた位置にて本体５に装着される。つまり、導入口１０に対して、アダプタ８Ａは下方（吐出口１４の側）に離された位置に配置される。
【００２２】
アダプタ８Ａは、円筒形状の外筒２０と、外筒２０の一端側から延ばされたフック２１とを備えている。外筒２０の外径は、旋回筒７の内周にほぼ隙間なく嵌め合わされるように設定されている。フック２１の先端（図２において上端）側には爪２１ａが設けられている。外筒２０が吐出口１４側から旋回筒７の内部に挿入され、フック２１の爪２１ａが貫通孔１１に噛み合わされることにより、アダプタ８Ａが本体５に装着される。
【００２３】
図３〜図７により詳しく示すように、アダプタ８Ａの内周には複数枚（図示例では３枚）の整流壁２２Ａ〜２２Ｃが形成されている。整流壁２２Ａ〜２２Ｃは、周方向に等間隔（図示例では１２０°間隔）で配置され、流路１２の半径方向に沿って厚さが一定の平板状に形成されている。整流壁２２Ａ〜２２Ｃは、流路１２の中心線ＣＬの回りに対称的に設けられ、かつそれらの壁面は流路１２の中心線ＣＬに対して捩れを伴うことなく、中心線ＣＬの方向に沿って真っ直ぐに延ばされている。整流壁２２Ａ〜２２Ｃの大きさ及び形状は互いに等しい。以下では、整流壁２２Ａ〜２２Ｃを参照符号２２で代表して示すことがある。整流壁２２は、外筒２０の上流側の端面２０ａから吐出口１４まで延ばされている。したがって、アダプタ８Ａを旋回筒７に装着した場合、整流壁２２は流入室１５に対して吐出口１４側に離れるように、言い換えれば導入口１０よりも下方に離れるようにして配置されて吐出口１４に達している。それらの整流壁２２により、流路１２は吐出口１４から上流側に一定長に亘って複数（図示例では３つ）の流路領域２３に区分されている。
【００２４】
各整流壁２２は、流路１２の上流側にて流路１２の中心側が切り欠かれた形状に形成されている。それにより、各整流壁２２は流路１２の中心側に設けられた隙間２２ａを挟んで流路１２の半径方向に互いに離間している。隙間２２ａは、中心線ＣＬの方向に関する全長に亘って一定の大きさに形成されている。一方、流路１２の下流側にて、各整流壁２２は中心線ＣＬ上で互いに結合されている。つまり、整流壁２２同士の隙間２２ａの大きさは、整流壁２２の下流側にて最大限に減少してゼロに設定されている。各整流壁２２の先端面２２ｂ、すなわち流路１２の下流側の端面２２ｂは吐出口１４に達している。整流壁２２の先端面２２ｂには、その外周側から内周側に向かうほど吐出口１４からの液体の流出方向（図７の下方向）により大きく突出するようにテーパが付されている。それにより、各整流壁２２のそれぞれの吐出口１４側の端部は、流路１２の中心線ＣＬ側が外周側よりも液体の流出方向に突出する。先端面２２ｂのテーパ部分は中心線ＣＬ上で液体の流出方向に最大に突出した頂部を形成する。
【００２５】
外筒２０の内周面２０ｂにも、流路１２の下流側に向かうほど中心線ＣＬに接近するようにテーパが付されている。したがって、流路１２の各整流壁２２が設けられた区間にて、流路１２は下流側に向かうほど中心線ＣＬ側に絞り込まれている。それにより、流路１２の断面積は流路１２の上流側よりも下流側で減少する。なお、外筒２０の先端面２０ｃにも、整流壁２２の先端面２２ｂに概ね連なるようにテーパが付されている。
【００２６】
以上の打栓コック１によれば、ノズル部３の内部の流路１２に関して、導入口１０に臨むようにして流入室１５が設けられ、その流入室１５よりも下方の吐出口１４側に離れた位置に複数の整流壁２２が設けられている。したがって、流路１２に流入した液体は、流入室１５にて下方の吐出口１４に向かうようにその流れが適度に整えられた後に、流路１２における整流壁２２が設けられた区間に流入する。整流壁２２の上流側は隙間２２ａを挟んで互いに離間しているので、流入室１５から流入する液体は、整流壁２２の上端側にて吐出口１４に向かう流れとして整流されつつ、整流壁２２同士で区分された流路領域２３のそれぞれに対してほぼ均等に分配されて流路領域２３に流入する。
【００２７】
吐出口１４の近傍では、流路領域２３が整流壁２２によって完全に独立した領域として区分される。したがって、各流路領域２３を通過する液体は、他の流路領域２３を通過する液体と相互に干渉し合うことなく吐出口１４へと導かれる。そのため、整流壁２２の整流効果を十分に高め、吐出口１４から流出する液体の回転や相互の干渉を抑え、吐出口１４の周囲への液体の飛散を効果的に防止することができる。また、吐出口１４の付近で流路１２が各流路領域２３に完全に区分され、各流路領域２３の断面積は、流路１２の全体の断面積よりも遙かに小さいため、ノズル部３への液体の供給量が減少した場合でも、各流路領域２３にはそれらを十分に満たす量の液体が導かれる。それにより、液体の流れを安定させて液体の飛散をより効果的に防止することができる。打栓コック１が装着される容器が内容量の減少に伴って収縮変形するような容器（特には、軟質樹脂製の容器等）の場合には、仮にアダプタ８Ａが存在しなければ、液体の供給量が減少したときに、吐出口１４から空気が入り込み、それにより、注出される液体の流れに脈動が生じる等して液体が吐出口１４の周囲に飛散することがある。しかし、アダプタ８Ａが装着されることにより、各流路領域２３の断面積が絞り込まれ、吐出口１４からの空気の逆流を抑えることができる。それにより、吐出口１４の周囲への液体の飛散をさらに効果的に防止することができる。
【００２８】
整流壁２２の中心側が外周側よりも流れ方向下流側に突出しているので、整流壁２２の整流作用をより強く生じさせることができる。特に、吐出口１４から流出した直後の液体同士の衝突を防止することができる。そのため、液体の流れをより安定させてその飛散を確実に防止することができる。流路１２の整流壁２２が設けられた区間にて、流路１２の断面積が下流側で減少するように外筒２０の内周面２０ｂにテーパが付されているため、吐出口１４の近傍における各流路領域２３の断面積をより小さく設定することができる。そのため、吐出口１４からの液体の流れがさらに安定し、かつ吐出口１４からの空気の逆流がさらに抑えられる。それにより、液体の飛散をより効果的に防止することができる。
【００２９】
本発明は上述した形態に限定されず、各種の形態にて実施することができる。例えば、図１及び図２では、旋回筒７の先端が流路１２の中心線ＣＬの方向に関してアダプタ８Ａの先端と同程度の位置まで延ばされているが、旋回筒７の先端はアダプタ８Ａの先端よりも上流側に後退していてもよい。打栓コック１の形状は図１の例に限らず、適宜の変更が可能である。打栓コックの案内部も、図１及び図２に示したノズル部３の形状及び構成に限らず、注出すべき液体を導入口から下方の吐出口に向かって案内する流路を備えている限りにおいて適宜の変更が可能である。導入口から吐出口に至る流路は真っ直ぐに構成される例に限らず、例えば緩い曲率が付されるなどして、流れの安定性に影響を与えない程度に流れの方向が変更されてもよい。
【００３０】
アダプタは図３〜図７の例に限らず、適宜の変更が可能である。以下、図８〜図２２を参照して、第１の形態に対してアダプタを変更した第２〜第４の形態を説明する。なお、図８〜図２２は、第１の形態に対して互換性を有するアダプタを示すものであり、打栓コック１の本体５側の構成は図１、図２Ａ及び図２Ｂに示した例と同一で足りる。したがって、以下では、打栓コック１のアダプタ以外の構成要素に関して図１、図２Ａ及び図２Ｂの参照符号を流用し、アダプタの相違点を説明する。
【００３１】
（第２の形態）
図８〜図１２は本発明の第２の形態に係る打栓コック１のアダプタ８Ｂを示している。この形態は、外筒２０の上流側に大径部２０ｄが、下流側に小径部２０ｅが設けられることにより、外筒２０の内周面２０ｂの内径が、上流側で大きく、下流側で小さく設定されている。したがって、流路１２の各整流壁２２が設けられた区間にて、流路１２は下流側に向かうほど中心線ＣＬ側に絞り込まれる。そのため、流路１２の断面積は流路１２の上流側よりも下流側で減少する。
【００３２】
アダプタ８Ｂにおいても、各整流壁２２の上流側が隙間２２ａを挟んで互いに離間する一方で、下流側では整流壁２２同士が中心線ＣＬ上で互いに結合される。また、各整流壁２２は吐出口１４まで達し、その先端面２２ｂには外筒２０の外周側から内周側に向かうほど吐出口１４からの液体の流出方向（図１２の下方向）により大きく突出するようにテーパが付されている。なお、隙間２２ａは外筒２０の大径部２０ｄが設けられる範囲内に形成されており、小径部２０ｅの内部では整流壁２２同士が結合されて流路領域２３は完全に独立した領域として区分されている。
【００３３】
以上の形態のアダプタ８Ｂによっても、アダプタ８Ｂ内の整流壁２２同士で区分された流路領域２３のそれぞれに対して液体を吐出口１４に向かう方向に整流しつつ各流路領域２３にほぼ均等に液体を分配し、かつ各流路領域２３を通過する液体の相互の干渉を防止することができる。そのため、整流壁２２の整流効果を十分に高めることができる。したがって、吐出口１４から流出する液体の回転や相互の干渉を抑えて吐出口１４の周囲への液体の飛散を効果的に防止することができる。また、吐出口１４からの空気の逆流を抑え、液体の流れを安定させて液体の飛散をより効果的に防止することができる。さらに、吐出口１４から流出した直後の液体同士の衝突を防止して液体の流れをより安定させ、その飛散を確実に防止することができる。小径部２０ｅが設けられることにより、吐出口１４の近傍における各流路領域２３の断面積をより小さく設定し、それにより、吐出口１４からの液体の流れをさらに安定させ、かつ吐出口１４からの空気の逆流をさらに抑えて液体の飛散をより効果的に防止することができる。
【００３４】
（第３の形態）
図１３〜図１７は本発明の第３の形態に係る打栓コック１のアダプタ８Ｃを示している。この形態では、第２の形態のアダプタ８Ｂに対して、整流壁２２の枚数が変更されている。すなわち、アダプタ８Ｃには周方向に等しい間隔（６０°）で６枚の整流壁２２Ａ〜２２Ｅが設けられている。各整流壁２２の形状や外筒２０の形状は第２の形態のアダプタ８Ｂと共通である。このように整流壁２２の枚数を増加させた場合には、整流壁２２同士の間の各流路領域２３の断面積がより小さくなる。したがって、吐出口１４から流出する液体の整流効果をさらに高め、かつ吐出口１４からの空気の逆流をより確実に抑えることができる。
【００３５】
（第４の形態）
図１８〜図２２は本発明の第４の形態に係る打栓コック１のアダプタ８Ｄを示している。この形態では、第２の形態のアダプタ８Ｂに対して、外筒２０の大径部２０ｄと小径部２０ｅとの長さの比率が変更されている。すなわち、第４の形態のアダプタ８Ｄにおいては、流路１２の中心線ＣＬの方向に関して、大径部２０ｄと小径部２０ｅとの境界が、各整流壁２２同士が隙間２２ａを挟んで離間している範囲内に設定されている。つまり、隙間２２ａが設けられている範囲内で外筒２０が大径部２０ｄから小径部２０ｅへの変化し、それにより、小径部２０ｅにて流路１２が絞られている位置まで隙間２２ａが達している。この形態のアダプタ８Ｄによれば、外筒２０の内径の絞り込みによる整流効果を早期かつより長い範囲で生じさせ、吐出口１４から流出する液体の流れをより安定させ、かつ吐出口１４からの空気の逆流防止効果をさらに高めることができる。
【００３６】
以上に説明した各形態では、各整流壁２２の上端側が一定の大きさの隙間２２ａを挟んで互いに離間し、下流側が中心線ＣＬ上で互いに結合されているが、本発明に係るアダプタはそのような例に限らない。例えば、図２３に示すアダプタ８Ｅのように、隙間２２ａの大きさを吐出口１４に向かうほど漸次減少させてもよい。あるいは、図２４に示すように、吐出口１４に至るまで隙間２２ａが設けられることにより、中心線ＣＬの方向に関して整流壁２２の全長に亘って整流壁２２が互いに離間してもよい。その場合、整流壁２２の上流側で隙間２２ａが大きく、下流側で隙間２２ａが小さくなるように隙間２２ａの大きさを変化させればよい。すなわち、整流壁２２のそれぞれは、少なくとも各整流壁２２の上流側にて隙間２２ａを挟んで互いに離間し、かつ各整流壁２２の上流側よりも下流側の端部、つまり吐出口１４側の端部にて隙間２２ａの大きさが減少するように設けられていればよい。整流壁２２同士を下流側で結合させた形態は、隙間２２ａの大きさを最大限に減少させた形態として把握されるべきものである。なお、図２３及び図２４は第１の形態のアダプタ８Ａの変形例として示されているが、これらの変形は第２〜第４の形態に適用されてもよい。
【００３７】
上記の各形態及び変形例に係るアダプタ８Ａ〜８Ｆは、整流壁が存在しない既存の打栓コックのアダプタと互換性を保てるようにその外筒２０やフック２１が構成されてもよい。その場合には、既存の打栓コックのアダプタを上記のアダプタ８Ａ〜８Ｆに置き換えることにより、本発明に係る打栓コックを容易に実現することができる。アダプタにおける整流壁の枚数や形状といった仕様は適宜に変更可能である。仕様が異なる複数のアダプタを予め用意し、液体の種類、流量といった液体の注出条件に応じて最適なアダプタを選択して本体に装着することにより、打栓コックを注出条件に応じて最適化することもできる。
【００３８】
以上の形態では、複数の整流壁２２を同形同大に形成したが、例えば中心線ＣＬ側への突出量が異なる複数種類の整流壁２２が設けられてもよい。複数の整流壁２２のうち、一部の整流壁２２のみを流路１２の下流側にて互いに結合させ、その他の整流壁２２は吐出口１４に至るまで互いに離間するように設けられてもよい。整流壁２２を結合させる場合、その結合位置は必ずしも中心線ＣＬと厳密に一致させる必要はない。流れの安定性に実質的に影響が生じない範囲で整流壁２２の結合位置を中心線ＣＬから幾らか偏心させてもよい。整流壁２２を吐出口１４側で流出方向に突出させる場合において、その頂部は必ずしも中心線ＣＬ上に位置する必要はなく、流れの安定性に影響が生じない範囲で頂部が中心線ＣＬから幾らか偏心した位置に配置されてもよい。整流壁２２の吐出口１４側の端部の中心側を外周側よりも突出させることなく、その端部は中心線ＣＬと直交する平面に沿って延びるように形成されてもよい。
【００３９】
上記の形態では、各整流壁２２が吐出口１４に達するように設けられているが、吐出口１４の幾らか上流側の位置で整流壁２２を終了させてもよい。上記の形態では、外筒２０の内周面２０ｂにテーパが付され、又は外筒２０の下流側に小径部２０ｅが設けられることにより、整流壁２２が設けられた区間において、流路１２の断面積が流路の上流側よりも下流側で減少するように流路１２の下流側が流路１２の中心線ＣＬ側に絞り込まれているが、そのような絞り込みは必ずしも必要ではなく、液体の流れの安定性を確保できる限りにおいて絞り込みが省略されてもよい。
【００４０】
本発明に係る打栓コックにおいては、アダプタが省略され、整流壁が本体と一体に設けられてもよい。例えば、図１、図２Ａ及び図２Ｂの例において、旋回筒７の内周に整流壁が設けられてもよい。固定筒６の先端を旋回筒７よりも突出させ、その突出部分にアダプタを装着し、あるいはその突出部分に整流壁を形成してもよい。容器と打栓コックとは、両者を接続した後に分離が不可能となるように打ち込み等の手法で接続されてもよいし、接続後の再分離が可能となるようにねじ込み等の手法で接続されてもよい。
【符号の説明】
【００４１】
１  打栓コック
３  ノズル部（案内部）
５  ノズル部の本体
６  固定筒
７  旋回筒
８Ａ、８Ｂ、８Ｃ、８Ｄ、８Ｅ、８Ｆ  アダプタ
１０  導入口
１２  流路
１４  吐出口
１５  流入室（液体が流入する領域）
２０  外筒
２２Ａ、２２Ｂ、２２Ｃ、２２Ｄ、２２Ｅ、２２Ｆ  整流壁
２２ａ  整流壁間の隙間
２２ｂ  整流壁の先端面
２３  流路領域
【図１】
2017119521.tif 000003
【図２Ａ】
2017119521.tif 000004
【図２Ｂ】
2017119521.tif 000005
【図３】
2017119521.tif 000006
【図４】
2017119521.tif 000007
【図５】
2017119521.tif 000008
【図６】
2017119521.tif 000009
【図７】
2017119521.tif 000010
【図８】
2017119521.tif 000011
【図９】
2017119521.tif 000012
【図１０】
2017119521.tif 000013
【図１１】
2017119521.tif 000014
【図１２】
2017119521.tif 000015
【図１３】
2017119521.tif 000016
【図１４】
2017119521.tif 000017
【図１５】
2017119521.tif 000018
【図１６】
2017119521.tif 000019
【図１７】
2017119521.tif 000020
【図１８】
2017119521.tif 000021
【図１９】
2017119521.tif 000022
【図２０】
2017119521.tif 000023
【図２１】
2017119521.tif 000024
【図２２】
2017119521.tif 000025
【図２３】
2017119521.tif 000026
【図２４】
2017119521.tif 000027